(57)【要約】【課題】集塵袋の取付け、廃棄が容易で、使い勝手の良い電気掃除機を提供する。【解決手段】吸気孔１３を有する口枠１４を備えた集塵袋１２と、前記集塵袋１２が装着されるとともに集塵室（図示せず）に着脱自在に配設されるバスケット５と、前記バスケット５に設けられ前記口枠１４を押さえる口枠押さえ９とを備え、前記口枠押さえ９は、前記口枠１４の上方で、かつ、前記吸気孔１３の中心の上方にあたる部分以外を押える構成としたもので、集塵袋１２を装着する際に、上方より吸気孔１３を容易に目視でき、また、口枠１４の中央部分を持って挿入、取付けができるために安定した状態で取付けが行え、集塵袋１２の誤挿入を防ぐことができ、誤挿入で発生するゴミ漏れによる、電気掃除機の故障も防止できる。【選択図】図３
2005192833.tif 000002
【特許請求の範囲】
【請求項１】
集塵室と、電動送風機と、吸気孔を有する口枠を備えた集塵袋と、前記集塵袋が装着されるとともに前記集塵室に着脱自在に配設されるバスケットと、前記バスケットに設けられ前記口枠を押さえる口枠押さえとを備え、前記口枠押さえは、前記口枠の上方で、かつ、前記吸気孔の中心の上方にあたる部分以外を押える構成とした電気掃除機。
【請求項２】
口枠押さえを前後に回動自在とした請求項１記載の電気掃除機。
【請求項３】
口枠押さえは、口枠の上方略両端を押さえるようにした請求項１または２記載の電気掃除機。
【請求項４】
口枠押さえの口枠を押えている両側の部分の間に下方に窪んだ凹状部を形成した請求項３記載の電気掃除機。
【請求項５】
集塵室と、電動送風機と、吸気孔を有する口枠を備えた集塵袋と、前記集塵袋が装着されるとともに前記集塵室に着脱自在に配設されるバスケットを備え、前記バスケットの前面壁を底面より上方にかけて広がるように傾斜させた電気掃除機。
【請求項６】
前面壁の傾斜角度を３°〜１０°に設定した請求項５記載の電気掃除機。
【請求項７】
集塵室と、電動送風機と、吸気孔を有する口枠を備えた集塵袋と、前記集塵袋が装着されるとともに前記集塵室に着脱自在に配設されるバスケットとを備え、前記バスケットの前面壁を上方より底面にかけて広がるように傾斜させた電気掃除機。
【請求項８】
前面壁の傾斜角度を１°〜５°に設定した請求項７記載の電気掃除機。
【請求項９】
集塵室と、電動送風機と、吸気孔を有する口枠を備えた集塵袋と、前記集塵袋が装着されるとともに前記集塵室に着脱自在に配設されるバスケットとを備え、前記バスケットの側部を形成する立ち壁の下端を回動自在に支持した電気掃除機。
【請求項１０】
立ち壁の回動を集塵袋とは反対方向に回動自在に構成した請求項９記載の電気掃除機。
【請求項１１】
立ち壁の回動を集塵袋側に回動自在に構成した請求項９記載の電気掃除機。
【請求項１２】
集塵室の側壁の内面に凸部を設け、かつ立ち壁の外壁に、バスケットを集塵室に挿入する際に前記凸部に当接し乗越える凸体を形成した請求項９記載の電気掃除機。
【発明の詳細な説明】
【技術分野】
【０００１】
本発明は集塵袋、バスケットの装着性の改善を図った電気掃除機に関するものである。
【背景技術】
【０００２】
従来の電気掃除機の掃除機本体は、前部にホースを接続する吸気孔を有し、前方に集塵室、後部に電動送風機を内蔵する電動送風機収納室を形成している。前記集塵室には、集塵袋を収納する樹脂製のバスケットが収納されている。
【０００３】
前記バスケットは、上面及び後面開口の略箱型に形成されており、後面開口を集塵袋の取出口とするとともに、該取出口の下部開口縁に立壁が形成されている。また前記バスケット前壁上部には集塵袋の口枠を保持する口枠押えが、底部には、口枠の下端を受ける位置決リブとがそれぞれ配され、その口枠押えはバネによりバスケット内側、即ち口板を挟持する方向へ付勢されており、該口枠押さえと前記位置決リブとの間で集塵袋の口枠を固定するようになっていた (例えば、特許文献１参照)。
【特許文献１】特開２０００−８３８７８号公報
【発明の開示】
【発明が解決しようとする課題】
【０００４】
しかしながら、上記従来の構成では、口枠押さえが中央部に位置しているため集塵袋を挿入する際に、上方より集塵袋の口枠の下端の位置を決める位置決めリブおよび、吸気孔が口枠押えにより隠れ、目視しにくいため使用者は、感にたよって集塵袋を取りつけていた。また、中央部に口枠押えがあるため、集塵袋の装着時に口枠の中央部分を持つことができず、口枠の一方の端を持って挿入することになり、非常に不安定な状態となって、誤挿入が発生し、集塵袋の吸気孔と、本体側の吸気孔がずれ、それによりゴミ漏れが起こり、電動送風機の故障、電気掃除機の故障の原因となっていた。
【０００５】
また、ゴミで満杯になった集塵袋を取り出す際に、集塵袋の吸気孔に口枠押さえが引っかかり、取り出しにくいだけでなく、吸気孔から集塵袋内のゴミが集塵室内にこぼれてしまうこともあり、使用者に不衛生感、不信感を与えるものであり、また、集塵室にこぼれたゴミが電動送風機に直接侵入しそれにより電気掃除機の故障につながるものであった。
【０００６】
本発明は上記従来の課題を解決するもので、集塵袋の取付け、取り外し、廃棄が容易で、使い勝手の良い電気掃除機を提供することを目的とする。
【課題を解決するための手段】
【０００７】
上記従来の課題を解決するために、本発明の電気掃除機は、集塵室と、電動送風機と、吸気孔を有する口枠を備えた集塵袋と、前記集塵袋が装着されるとともに前記集塵室に着脱自在に配設されるバスケットと、前記バスケットに設けられ前記口枠を押さえる口枠押さえとを備え、前記口枠押さえは、前記口枠の上方で、かつ、前記吸気孔の中心の上方にあたる部分以外を押える構成としたもので、集塵袋を装着する際に、上方より吸気孔を容易に目視でき、また、口枠の中央部分を持って挿入、取付けが行えるために安定した状態で取付けが行え、集塵袋の誤挿入を防ぐことができ、また、誤挿入で発生するゴミ漏れによる、電気掃除機の故障も防止できる。
【０００８】
また、本発明の電気掃除機は、集塵室と、電動送風機と、吸気孔を有する口枠を備えた集塵袋と、前記集塵袋が装着されるとともに前記集塵室に着脱自在に配設されるバスケットとを備え、前記バスケットの前面壁を底面より上方にかけて広がるように傾斜させたもので、集塵袋のバスケットへの取り付け、バスケットの集塵室への挿入、取り外しが容易になるものである。
【０００９】
又、本発明の電気掃除機は、集塵室と、電動送風機と、吸気孔を有する口枠を備えた集塵袋と、前記集塵袋が装着されるとともに前記集塵室に着脱自在に配設されるバスケットとを備え、前記バスケットの前面壁を上方より底面にかけて広がるように傾斜させたもので、口枠の前面が斜め上方を向くようになるため、集塵袋を取り外す際に、口枠の吸気孔からゴミ漏れがしにくくなり、ゴミ漏れによる電気掃除機の故障を防止する事ができる。
【００１０】
さらに、本発明の電気掃除機は、集塵室と、電動送風機と、吸気孔を有する口枠を備えた集塵袋と、前記集塵袋が装着されるとともに前記集塵室に着脱自在に配設されるバスケットとを備え、前記バスケットの側部を形成する立ち壁の下端を回動自在に支持したもので、集塵袋をバスケットに挿入する際に立ち壁を外側に回動させて広げることが可能となり、また集塵袋内一杯にごみが溜まり集塵袋がバスケットの内壁面に密着した状態を解除でき、そのため集塵袋の挿入性、廃棄性の向上が図られる。
【発明の効果】
【００１１】
本発明の電気掃除機は、集塵袋の取付け、集塵袋の廃棄が極めて容易なものである。
【発明を実施するための最良の形態】
【００１２】
第１の発明は、集塵室と、電動送風機と、吸気孔を有する口枠を備えた集塵袋と、前記集塵袋が装着されるとともに前記集塵室に着脱自在に配設されるバスケットと、前記バスケットに設けられ前記口枠を押さえる口枠押さえとを備え、前記口枠押さえは、前記口枠の上方で、かつ、前記吸気孔の中心の上方にあたる部分以外を押える構成としたもので、集塵袋を装着する際に、上方より吸気孔を容易に目視でき、また、口枠の中央部分を持って挿入、取付けが行えるために安定した状態で取付けが行え、そのため集塵袋の誤挿入を防ぐことができ、また、誤挿入で発生するゴミ漏れによる、電気掃除機の故障も防止できる。
【００１３】
第２の発明は、特に、第１の発明の口枠押さえを前後に回動自在としたもので、集塵袋の取りつけ、および、取り出しがスムーズに行えるものである。
【００１４】
第３の発明は、特に、第１又は第２の発明の口枠押さえは、口枠押さえは、口枠の上方略両端を押さえるようにしたもので、集塵袋を装着する際に、上方より集塵室の吸気孔を容易に目視できるため、集塵袋の誤挿入を防ぐことができ、また、誤挿入で発生するゴミ漏れによる電気掃除機の故障を防ぐことができる。そのうえ、集塵袋を取り出す際に、口枠押さえに、吸気穴が引っかかる事なく、スム−ズに取り出せるものである。
【００１５】
第４の発明は、特に、第３の発明の口枠押さえの口枠を押えている両側の部分の間に下方に窪んだ凹状部を形成したもので、指の入るスペ−スが確保され、集塵袋の口枠の中央部を容易に掴む事ができるので、集塵袋の取りつけ、および、取り出しが、スム−ズに行えるものである。
【００１６】
第５及び第６の発明は、集塵室と、電動送風機と、吸気孔を有する口枠を備えた集塵袋と、前記集塵袋が装着されるとともに前記集塵室に着脱自在に配設されるバスケットとを備え、前記バスケットの前面壁を底面より上方にかけて広がるように傾斜させたもので、集塵袋のバスケットへの取り付け及びバスケットの集塵室への挿入、取り外しが容易になるものである。
【００１７】
第７及び第８の発明は、集塵室と、電動送風機と、吸気孔を有する口枠を備えた集塵袋と、前記集塵袋が装着されるとともに前記集塵室に着脱自在に配設されるバスケットとを備え、前記バスケットの前面壁を上方より底面にかけて広がるように傾斜させたもので、口枠の前面が斜め上方を向くようになるため、集塵袋を取り外す際に、口枠の吸気孔からゴミ漏れがしにくくなり、ゴミ漏れによる電気掃除機の故障を防止する事ができる。
【００１８】
第９の発明は、集塵室と、電動送風機と、吸気孔を有する口枠を備えた集塵袋と、前記集塵袋が装着されるとともに前記集塵室に着脱自在に配設されるバスケットとを備え、前記バスケットの側部を形成する立ち壁の下端を回動自在に支持したもので、集塵袋をバスケットに挿入する際に立ち壁を外側に回動させて広げることが可能となり、また集塵袋内一杯にごみが溜まり集塵袋がバスケットの内壁面に密着した状態を解除でき、集塵袋の挿入性、廃棄性の向上が図られる。
【００１９】
第１０の発明は、特に、第９の発明の立ち壁の回動を集塵袋とは反対方向に回動自在に構成したもので、バスケット上部の開口面積が広げられ、集塵袋の取り付け、取り外しが極めて容易になるものである。
【００２０】
第１１の発明は、特に、第９の発明の立ち壁の回動を集塵袋側に回動自在に構成したもので、集塵袋内にごみが一杯に溜まった状態にて、立ち壁を集塵袋側に回動させることで、集塵袋内のごみを圧縮して、集塵袋の体積を減少させることができるので、集塵袋の取り外し、廃棄が容易になるものである。
【００２１】
第１２の発明は、特に、第９の発明の集塵室の側壁の内面に凸部を設け、かつ立ち壁の外壁に、バスケットを集塵室に挿入する際に前記凸部に当接し乗越える凸体を形成したもので、バスケットを集塵室から取り外す際に、凸体が凸部に当接して立ち壁が自動的に内側に回動し集塵袋を圧縮し体積を減少させ、凸体が凸部を乗り越えると、今度は立ち壁が外方にもどり、集塵袋の取り出し、廃棄作業が極めて円滑、容易に行なうことができるものである。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における電気掃除機の部分断面図、図２は、同電気掃除機に搭載されたバスケットの縦断面図、図３は、図１のＡ−Ａ断面図である。
【００２４】
図１、２において、１は前方にホース（図示せず）を接続する吸気孔２を有する集塵室３と後方に電動送風機（図示しない）を有する電動送風機室（図示しない）を具備した掃除機本体で、吸気孔２には掃除機本体１とホースとのエアータイト用のパッキンＢ４が設けられている。５は、集塵室３に取外し可能に収納されたバスケットである。
【００２５】
バスケット５は、上面及び後面開口の略箱状に形成され、前壁６には、吸込み口７とその吸込み口７に掃除機本体１とバスケット５とのエアータイトを行うパッキンＣ８が配置されている。１２は吸気孔１３を備えた口枠１４を有した集塵袋である。前壁６の上部には、口枠１４を押える口枠押さえ９がバネ１０により前方に回動自在に付勢され配置されている。また、前壁６下部には口枠１４の下端の位置決めを行なう位置決リブ１１が配置されている。
【００２６】
次に、図３に示すように、口枠１４の上端を押さえ係止する口枠押さえ９の係止部１５は、吸気孔１３の中心の上方にあたる部分以外である口枠１４の上方略両端を引っ掛ける形状とし、また、両係止部１５の位置は、口枠１４の吸気孔１３の水平方向の両端より外側になるようにしている。即ち、両側係止部１５の内面間の寸法Ｄは口枠１４の吸気孔１３の直径Ｅよりも大きな寸法となるように構成している。さらに、口枠押さえ９の両係止部１５間の中央に、下方に窪むように凹状部１６を形成している。
【００２７】
次に、図１、図２に示すように、バスケット５の前壁６は底面から上方にかけて、広がるように傾斜させ、その傾き角度を３°から１０°に設定している。
【００２８】
以上のように構成された電気掃除機について、以下その動作、作用を説明する。
【００２９】
最初に、バスケット５に集塵袋１２を固定する際の動作を説明する。まず口枠１４の下端部をバスケット５の前壁６と位置決めリブ１１との間に挿入し位置決めを行う。次に、回動自在な口枠押さえ９を後方に回動させ、口枠１４の上端の両側を口枠押さえ９の係止部１５に引っ掛けて固定する。口枠１４は、係止部１５と位置決めリブ１１とで固定されると、バスケット５に固定されたパッキンＣ８に圧接状態になるようになっている。
【００３０】
次にバスケット５を上方より集塵室３に挿入する。バスケット５が集塵室３に挿入された状態では、パッキンＣ８とパッキンＢ４とが互いに圧接されエアータイトされる。上記構成により、塵埃を含んだ吸引風は、吸気孔２よりパッキンＢ４、パッキンＣ８、口枠１４を経て集塵袋１２に入り、塵埃は捕集され、綺麗になった吸引風は集塵袋１２を通過し、電動送風機を通って、外部に排気される。
【００３１】
口枠１４をバスケット５に固定するために、下方に位置する位置決めリブ１１と前壁６の間に口枠１４を挿入する際に、口枠押さえ９の係止部１５が略両端に位置しているので、下方が容易に目視しやすく、同時に口枠押さえ９の中央部に凹状部１６を設けているので、物を持つ時に一番安定した状態で持てる中央部、すなわち口枠１４の中央部分を持って挿入しても指と口枠押さえ９が接触することなく挿入できる。
【００３２】
また、ごみで満杯状態となった集塵袋１２を廃棄する場合、バスケット５の上面の開口部または後面の開口部から廃棄することになるが、後面より集塵袋１２を廃棄する際には何ら問題ないが、上面の開口部より廃棄を行う場合でも、本実施の形態によれば、バスケット５内に飛び出して形成された係止部１５は口枠１４の吸気孔１３よりも広い位置にあるために、集塵袋１２を持ち上げた時、係止部１５が吸気孔１３に引っかかることなく廃棄が行える。また、前壁６に角度を設けているためさらに抵抗なく廃棄が行える。また、角度については、廃棄性を向上させるためには角度を大きくとることが好ましいが、角度を大きく取ることは掃除機本体１の全長を大きくすることになり、反対に傾斜角度を小さくすると集塵室３を小さくできるが、廃棄性が悪くなる。そこで、掃除機本体１、集塵室２の大きさを大きくすることなく、廃棄性の向上を図ることができる角度としては、３°〜１０°が望ましい。以上のように本実施の形態によれば、集塵袋１２の取付け性および廃棄性を向上させることができる。
【００３３】
（実施の形態２）
図４は、本発明の実施の形態２における電気掃除機に搭載されたバスケットの縦断面図、図５は、同バスケットの縦断面図である。なお、上記実施の形態と同一部分については同一符号を付してその説明を省略する。
【００３４】
本実施の形態は、図４に示すように、バスケット５の前壁６の傾きを上方から底面にかけて広がる方向に傾斜させたものである。
【００３５】
以上のように構成された電気掃除機について、以下その動作、作用を説明する。
【００３６】
図５に示すように、満杯にごみが溜まった集塵袋１２を廃棄する際の動作は、口枠押さえ９を後方に回動させて、係止部１５より集塵袋１２の口枠１４を外す。このとき、口枠１４はパッキンＣ８に圧接された状態から開放され、後方に移動し、口枠１４とパッキンＣ８との間に隙間Ｆが生じる。しかし、前壁６を上方から底面にかけて広がる方向に傾斜させているので、バスケット５の口枠１４を保持する前面も傾斜して、口枠１４の前面が上方を向くように角度がついた状態となり、隙間Ｆからゴミが漏れることがない。
【００３７】
以上のように本実施の形態によれば、ごみ廃棄時のごみこぼれを防止し、衛生的でかつ、ゴミ漏れによる電気掃除機の故障を防ぐことができる。なお、壁の傾斜角度は集塵袋１２の挿入性を考慮すると１から５°が好ましい。
【００３８】
（実施の形態３）
図６は、本発明の実施の形態３における電気掃除機の断面図（図１のＡ−Ａ部）、図７は同バスケットの断面図（図１のＡ−Ａ部）、図８は同電気掃除機の断面図（図１のＡ−Ａ部）である。なお、上記実施の形態と同一部分については同一符号を付してその説明を省略する。
【００３９】
本実施の形態は、図６に示すように、集塵室３の側壁１７の内壁に凸部１８を形成するとともに、バスケット５の側壁を形成する立ち壁１９をバスケット５の底面部に設けた回動軸２０で回動自在に軸止し、さらに立ち壁１９の外壁にバスケット５を集塵室３に挿入する際に前記凸部１８に当接し、乗越える凸体２１を形成したものである。
【００４０】
以上のように構成された電気掃除機について、以下その動作、作用を説明する。
【００４１】
図７に示すように、立ち壁１９をバスケット５の外側方向に回動させることにより、バスケット５の上面の開放面積が増加し、集塵袋１２の取付けが極めて容易になる。また、集塵袋１２の廃棄時には、立ち壁１９を同じように外方に回動させることにより立ち壁１９がごみで満杯になった集塵袋１２より離れ、集塵袋１２と立ち壁１９との間に隙間Ｇが形成され、集塵袋１２を容易に廃棄することができるようになる。
【００４２】
また、図８に示すように、ごみが満杯に入った状態の集塵袋１２がバスケット５内に収納されている状態で、立ち壁１９を内側に回動させると、ごみを圧縮させることができる。それにより、ごみの入った集塵袋１２の体積を減少させることが可能となり、ごみの廃棄性の向上が行えるものである。
【００４３】
また、図６に示すように、集塵室３にバスケット５を挿入、取り外しする都度、集塵室３の凸部１８をバスケット５に設けた凸体２１が乗り越えるようになっているので、同時に、立ち壁１９が内側に回動することになる。すなわち満杯状態となった集塵袋１２を破棄するために、バスケット５を集塵室３から取り外す動作を行うと、凸体２１が凸部１８に当接することにより立ち壁１９が自動的に内側に回動し集塵袋１２を圧縮し体積を減少させ、凸体２１が凸部１８を乗り越えると、今度は立ち壁１９が集塵袋１２内のごみの反発力で外方に回動するので、集塵袋１２の取り出し、廃棄作業が極めて円滑、容易に行なうことができるものである。
【産業上の利用可能性】
【００４４】
以上のように、本発明にかかる電気掃除機は、集塵袋の装着性、廃棄性に優れ使い勝手が良いもので、使い捨てのフイルター、容器などを取り付ける部材を搭載した各種機器、装置にも適用できるものである。
【図面の簡単な説明】
【００４５】
【図１】本発明の実施の形態１における電気掃除機の部分断面図
【図２】同電気掃除機に搭載されたバスケットの縦断面図
【図３】図１のＡ−Ａ断面図
【図４】本発明の実施の形態２を示す電気掃除機に搭載されたバスケットの縦断面図
【図５】同バスケットの縦断面図
【図６】本発明の実施の形態３における電気掃除機の断面図（図１のＡ−Ａ部）
【図７】同電気掃除機に搭載されるバスケットの断面図（図１のＡ−Ａ部）
【図８】同バスケットの断面図（図１のＡ−Ａ部）
【符号の説明】
【００４６】
５  バスケット
９  口枠押さえ
１２  集塵袋
１３  吸気孔
１４  口枠
１５  係止部
１６  凹状部
【図１】
2005192833.tif 000003
【図２】
2005192833.tif 000004
【図３】
2005192833.tif 000005
【図４】
2005192833.tif 000006
【図５】
2005192833.tif 000007
【図６】
2005192833.tif 000008
【図７】
2005192833.tif 000009
【図８】
2005192833.tif 000010